(57)【要約】【課題】血液等の飛液から眼のみならず鼻も保護することができるゴーグルを提供する。【解決手段】ゴーグル１０は、眼を保護するために、装着者の眼の前方に設けられるシールド１１と、シールド１１を保持するための保持部１２と、保持部１２に連結され、ゴーグル１０を頭部に装着するための装着部２０を備える。シールド１１は、左右の中央部に形成されるスリット４０を有する。スリット４０はシールド１１の下端部１１Ｄに接続し、上下方向に延びる。【選択図】図１
2009031473.tif 000002
【特許請求の範囲】
【請求項１】
装着者の眼を保護するためのゴーグル用シールドにおいて、
フィルムから成るとともに、左右方向における中央部に下縁部に接続しかつ上下に延びるスリットが形成されることを特徴とするゴーグル用シールド。
【請求項２】
前記スリットに接続され、かつ前記スリットを中心に左右に対称的に形成された第１及び第２の分岐スリットをさらに有することを特徴とする請求項１に記載のゴーグル用シールド。
【請求項３】
前記第１及び第２の分岐スリットの終端部は、前記第１及び第２の分岐スリットそれぞれの幅より大きい直径を有する円形穴、または前記それぞれの幅より大きい短径を有する楕円穴に形成されることを特徴とする請求項２に記載のゴーグル用シールド。
【請求項４】
前記スリットの終端部は前記スリットの幅より大きい直径を有する円形穴、または前記幅より大きい短径を有する楕円穴に形成されることを特徴とする請求項１に記載のゴーグル用シールド。
【請求項５】
請求項１乃至４のいずれか１項に記載のゴーグル用シールドが取り付けられたゴーグル。
【発明の詳細な説明】
【技術分野】
【０００１】
本発明は、眼を保護するために使用され、フィルムから成るゴーグル用シールドに関する。
【背景技術】
【０００２】
従来、医療用途において、血液等の飛散から眼を保護するために、防飛液ゴーグルが使用されることが知られている。防飛液ゴーグルは、両眼を前方から覆う一体的な大きなシールド部を有しており、そのシールド部によって血液等の飛散物から眼を保護し、例えば眼からの血液感染を防止している。シールド部は、通常、特許文献１に記載されるように、装着者の鼻に当たるのを防止するために、左右方向における略中央の下部が、鼻形状に沿って取り除かれているのが一般的である。
【特許文献１】特開２００７−８９７４８号公報
【発明の開示】
【発明が解決しようとする課題】
【０００３】
しかし、特許文献１に記載されたゴーグルでは、鼻への血液飛散を十分に防止することはできず、例えば、鼻粘膜からの血液感染を十分に防止することができない。一方、鼻への血液飛散を防止するために、シールド部の下部の一部を取り除かないことも考えられるが、その場合、装着者の鼻がシールド部を押圧し、ゴーグルが所定位置からずらされて頭部に装着され、ゴーグルの装着状態が不安定になるおそれがある。また、装着者の鼻がシールド部に強く押圧されることになるので、装着者に不快感を与えることになる。
【０００４】
そこで、本発明は、このような問題点に鑑みて成されたものであり、眼のみならず鼻への血液等の飛散物の付着を防止することができるとともに、ゴーグルを頭部に安定して装着させ、かつ装着者に不快感を与えないゴーグル用シールドを提供することを目的とする。
【課題を解決するための手段】
【０００５】
本発明に係るゴーグル用シールドは、装着者の眼を保護するためのゴーグル用シールドであって、フィルムから成るとともに、左右方向における中央部に下縁部に接続しかつ上下に延びるスリットが形成されることを特徴とする。
【０００６】
上記スリットの終端部はスリットの幅より大きい直径を有する円形穴に形成されることが好ましいが、上記スリットの幅より大きい短径を有する楕円穴に形成されていても良い。
【０００７】
上記スリットに接続され、かつスリットを中心に左右に対称的に形成された第１及び第２の分岐スリットをさらに有することが好ましい。この場合、第１及び第２の分岐スリットの終端部は、第１及び第２の分岐スリットそれぞれの幅より大きい直径を有する円形穴に形成されることが好ましい。但し、第１及び第２の分岐スリットの終端部は、第１及び第２の分岐スリットそれぞれの幅より大きい短径を有する楕円穴に形成されても良い。なお、本発明に係るゴーグルは、上述したゴーグル用シールドが取り付けられていることを特徴とする。
【発明の効果】
【０００８】
本発明においては、ゴーグルが装着されると、シールドの下部中央部が、スリットを頂部として鼻外形に沿うように山型に撓み変形し、鼻のほぼ全部分がシールドによって覆われることになるので、鼻への飛液付着を有効に防止することができる。また、シールドの下部中央部が撓み変形することにより、鼻からの力は逃がされ、ゴーグルは鼻によって大きな力で押圧されないので、ゴーグルの装着状態を安定させることができる。さらには、装着者の鼻がシールド部に強く押圧されることもないので、装着者に不快感を与えることもない。
【発明を実施するための最良の形態】
【０００９】
以下、本発明の第１の実施形態を図面を参照しつつ説明する。
図１は、本発明の第１の実施形態に係るゴーグルの斜視図である。図２は、第１の実施形態において、ゴーグルに取り付けられる前のゴーグル用シールドを前方から見たときの平面図である。なお、以下の説明においては、ゴーグルが頭部に装着されたとき、顔が向けられる方向を前方とし、その逆方向を後方とする。また、左右上下は前方から見たときの左右上下をいう。
【００１０】
ゴーグル１０は、装着者の眼を保護するために、装着者の眼の前方に設けられるシールド１１と、シールド１１を保持するための保持部１２と、保持部１２に連結され、ゴーグル１０を頭部に装着するための装着部２０を備える。
【００１１】
保持部１２は、細長の部材であり、頭部の形状に沿って湾曲して形成されるとともに、その両端部１２Ａ、１２Ｂは僅かに上方に曲げられつつ後方に延出している。保持部１２の両端部１２Ａ、１２Ｂには、中央に第１の連結穴１４が形成された環状部１５が連設される。
【００１２】
保持部１２には、その前面側に複数の突起１２Ｃが設けられる。複数の突起１２Ｃは、保持部の長手に沿って略等間隔に配置されるとともに、最も左側及び右側に設けられた突起１２Ｃそれぞれが、左右の端部に形成された環状部１５それぞれから所定の距離離間した位置に設けられる。
【００１３】
装着部２０は、後方に向かって延びる第１及び第２のテンプル部２１、２２と、係合部２３とが一体に成形されて構成される。第１及び第２のテンプル部２１、２２は、内側に湾曲しつつ、後方に向かって延びる。係合部２３は細長部材から成り、テンプル部２１、２２から上斜め前方に曲げられて形成され、かつテンプル部２１、２２の前方の端部を接続する。ゴーグル１０が頭部に装着されると、テンプル部２１、２２が側頭部に当接するとともに、係合部２３が装着者の前頭部に係合し、これにより装着部２０は頭部に巻き付けられるようにカチューシャ式に装着される。
【００１４】
第１及び第２のテンプル部２１、２２の前方の端部近傍には、第２の連結穴２６が設けられる。第１及び第２のテンプル部２１、２２の外側には、第１及び第２の連結穴１４、２６の位置が一致するように、環状部１５が重ねられる。穴の位置が一致した連結穴１４、２６には、ピン２８（またはネジ）が挿通され、保持部１２の両端部１２Ａ、１２Ｂは、第１及び第２のテンプル部２１、２２それぞれに固定される。
【００１５】
保持部１２は、ピン２８を支点に、装着部２０に対して相対的に上下に回動可能に固定されており、これにより、シールド１１は上下方向の位置調整が可能である。なお、本実施形態においては、保持部１２は、第１及び第２のテンプル部２１、２２に対して、一定の摩擦力が発生するようにピン２８により固定されている。したがって、シールド１１は、通常の使用状態において作用されるような力が作用されても、装着部２０に対して相対的に回動することはない。
【００１６】
シールド１１は、無色透明または彩色が施され光透過性を有するプラスチックのフィルムから成り、可撓性を有する。シールド１１は、荷重が作用されていない状態、すなわち、保持部１２に取り付けられる前においては平面状に形成される。図２に示すように、シールド１１の上縁部１１Ｕ近傍には、保持部１２の複数の突起１２Ｃそれぞれに対応して、複数の穴１１Ｈが穿設される。
【００１７】
シールド１１は、保持部１２に取り付けられるとき、左右の両端部が後方に曲げられて、保持部１２の形状に沿うように湾曲させられると共に、保持部１２の各突起１２Ｃがシールド１１の各穴１１Ｈに挿入される。そして、留め具１３によって突起１２Ｃがシールド１１に固定され、これによりシールド１１は保持部１２に取り付けられる。なお、本実施形態では、複数の突起１２のうち、一部の突起１２Ｃのみが留め具１３によってシールド１１に固定される。
【００１８】
図２に示すように、シールド１１の左右方向における中央部には、シールド１１の下縁部１１Ｄに接続され、上下方向に直線的に延びるスリット４０が形成される。シールド１１の下側部分は、スリット４０によって左シールド部１８及び右シールド部１９に分割されている。スリット４０は所定の幅Ｗを有しており、左シールド部１８及び右シールド部１９はスリット４０を挟んで僅かに離間されている。
【００１９】
スリット４０の上端部（終端部）４０Ｕは、シールド１１の上下方向における中央、又は中央近傍に配置されるとともに、スリット４０の幅Ｗよりも大きい直径を有する円形穴４１に形成される。左シールド部１８及び右シールド部１９それぞれの右下隅部１８Ｃ及び左下隅部１９Ｃの外縁は、円弧状に形成されることにより、互いに下方に向かうに従って離間する。これにより、スリット４０の下端部４０Ｄは、下方に向かうに従って広がるフレア部４２に形成され、スリット４０はフレア部４２を介して下縁部１１Ｄに接続される。
【００２０】
本実施形態においては、ゴーグル１０が装着されると、シールド１１の下側中央部は、鼻から押圧されて、スリット４０が形成された部分を頂部に鼻外形に沿って前方に山型に膨らみ、鼻のほぼ全部分がシールド１１に覆われた状態になる。したがって、シールド１１は眼のみならず、鼻への飛液付着も防止することができる。また、シールド１１の下側中央部の撓み変形により、鼻からの力はその他の部分にほとんど作用されず、鼻からの荷重によってゴーグルが所定位置からずらされて頭部に装着されることがないので、ゴーグルは頭部に安定的に装着される。さらに、シールド１１から鼻への押圧力は小さいので、装着者に不快感を与えることはない。
【００２１】
さらに本実施形態においては、円形穴４１がスリット４０の上端部４０Ｕに形成されるので、上端部４０Ｕに作用される力が一点に集中するのが防止され、シールド１１が上端部４０Ｕを起点に裂けることが防止される。また、本実施形態においては、シールド１１は留め具１３のみによって保持部１２に固定されているので、留め具１３を外すことによってシールド１１を容易に交換することができる。
【００２２】
図３は、第２の実施形態に係るシールド１１の平面図を示す。以下、本実施形態について、第１の実施形態との相違点を説明する。
【００２３】
シールド１１は、スリット４０に接続される第１及び第２の分岐スリット４３、４４をさらに有する。第１の分岐スリット４３は、スリット４０の上端部４０Ｕに接続され、上端部４０Ｕから左方向に直線的に延び、その左端部（終端部）４３Ｌは、第１の分岐スリット４３の幅Ｗ’よりも、大きい直径を有する円形穴４１に形成される。
【００２４】
第２の分岐スリット４４は、スリット４０を中心に第１の分岐スリット４３に対して対称的に形成される。すなわち、第２の分岐スリット４４は、スリット４０の上端部４０Ｕに接続され、上端部４０Ｕから右方向に直線的に延びるスリットであって、その右端部（終端部）４４Ｒは、第２の分岐スリット４４の幅Ｗ”よりも大きい直径を有する円形穴４１に形成される。なお、第１及び第２の分岐スリット４３、４４は、その長さが同一であり、またそれらの幅Ｗ’、幅Ｗ”はスリット４０の幅Ｗと同一である。
【００２５】
本実施形態において、スリット４０によって分割されて形成された、左シールド部１８、右シールド部１９それぞれは、その上右隅部１８Ｕ、上左隅部１９Ｕの外縁が円弧状に形成される。したがって、スリット４０の上端部４０Ｕは上方に向かうに従って幅が大きくなるフレア部４５として形成され、第１及び第２の分岐スリット４３、４４はフレア部４５を介してスリット４０に接続される。但し、フレア部４５の最大離間幅は、スリット４０の下端部４０Ｄに形成されたフレア部４２の最大離間幅よりも小さい。
【００２６】
本実施形態においては、第１及び第２の分岐スリット４３、４４を設けたことによって、ゴーグル１０が装着されたとき、シールド１１の下側中央部を、さらに正確に鼻形状に沿うように追随させて撓み変形させることができる。
【００２７】
なお、第２の実施形態においては、第１及び第２の分岐スリット４３、４４は、左右方向に平行に延びるスリットであったが、左右方向に対して傾いて延びるスリットであっても良い。また、第１及び第２の分岐スリット４３、４４は、スリット４０の上端部４０Ｕに接続されたが、上端部４０Ｕと下端部４０Ｄの間においてスリット４０に接続されても良い。なお、第１及び第２の実施形態においては、ゴーグル１０は係合部２３が設けられ、いわゆるカチューシャ式のゴーグルであったが、係合部が設けられなくても良い。
【００２８】
なお、第１の実施形態では、スリット４０の上端部（終端部）４０Ｕは、円形穴４１ではなく、楕円穴に形成されても良い。この場合、楕円穴の短径は、スリット４０の幅Ｗより大きい。また、第２の実施形態においても、左端部及び右端部（終端部）４３Ｌ、４４Ｒも、その短径が各スリットの幅Ｗ’、Ｗ”よりも大きい楕円穴に形成されても良い。なお、上記楕円穴の短軸方向（短径方向）は、いずれの方向に向いていても良い。
【図面の簡単な説明】
【００２９】
【図１】本発明の第１の実施形態に係るゴーグルの斜視図である。
【図２】第１の実施形態に係るシールドの平面図である。
【図３】第２の実施形態に係るシールドの平面図である。
【符号の説明】
【００３０】
１０  ゴーグル
１１  シールド
１２  保持部
２１  第１のテンプル部
２２  第２のテンプル部
２３  係合部
４０  スリット
４１  円形穴
４２  フレア部
４３  第１の分岐スリット
４４  第２の分岐スリット
【図１】
2009031473.tif 000003
【図２】
2009031473.tif 000004
【図３】
2009031473.tif 000005